(57)【要約】【課題】  この発明は、ディスプレイの焼付き寿命を延ばすことができる表示装置を提供することを目的とする。【解決手段】  背景部分を含む固定パターン画像に基づいて作成された補正用画像データを記憶している記憶手段を備えており、補正用画像データは、固定パターン画像内の固定パターン領域および背景領域のうち、輝度が高い方の領域に階調最大値を割当て、輝度の低い方の領域に階調最大値から焼付き視認限界幅に相当する階調数を減算した階調を割当てることにより作成されている。【選択図】  図９
2005283910.tif 000002
【特許請求の範囲】
【請求項１】
表示輝度および表示時間に応じて発光輝度劣化を起こすようなディスプレイを有しており、入力映像に固定パターンを合成して表示する機能を備えた表示装置において、
固定パターンの画像データを保持している第１の記憶手段、
背景部分を含む固定パターン画像に基づいて作成された補正用画像データを記憶している第２の記憶手段、
１画素分の入力映像信号が入力される毎に、当該入力映像信号の表示位置に対応する補正用画像データを第２の記憶手段から読み出し、読み出した補正用画像データに基づいてゲインを算出するゲイン算出手段、
上記入力映像信号の表示位置に固定パターンを表示させるときには、表示する固定パターンの当該表示位置に対応する画像データを第１の記憶手段から読み出し、読み出した画像データにゲイン算出手段によって算出されたゲインを乗算し、その乗算結果をディスプレイの表示データとして出力する手段、ならびに
入力映像信号の位置に固定パターンを表示しないときには、当該入力映像信号にゲイン算出手段によって算出されたゲインを乗算し、その乗算結果をディスプレイの表示データとして出力する手段を備えており、
補正用画像データは、固定パターン画像内の固定パターン領域および背景領域のうち、輝度が高い方の領域に階調最大値を割当て、輝度の低い方の領域に階調最大値から焼付き視認限界幅に相当する階調数を減算した階調を割当てることにより作成されていることを特徴とする表示装置。
【請求項２】
表示輝度および表示時間に応じて発光輝度劣化を起こすようなディスプレイを有しており、入力映像に固定パターンを合成して表示する機能を備えた表示装置において、
固定パターンの画像データを保持している第１の記憶手段、
各画素位置毎のゲインを記憶している第２の記憶手段、
１画素分の入力映像信号が入力される毎に、当該入力映像信号の表示位置に対応するゲインを第２の記憶手段から読み出すゲイン読出手段、
上記入力映像信号の表示位置に固定パターンを表示させるときには、表示する固定パターンの当該表示位置に対応する画像データを第１の記憶手段から読み出し、読み出した画像データにゲイン読出手段によって読み出されたゲインを乗算し、その乗算結果をディスプレイの表示データとして出力する手段、ならびに
入力映像信号の位置に固定パターンを表示しないときには、当該入力映像信号にゲイン読出手段によって読み出されたゲインを乗算し、その乗算結果をディスプレイの表示データとして出力する手段を備えており、
各画素位置毎のゲインは、背景部分を含む固定パターン画像に基づいて作成された補正用画像データから生成されており、補正用画像データは、固定パターン画像内の固定パターン領域および背景領域のうち、輝度が高い方の領域に階調最大値を割当て、輝度の低い方の領域に階調最大値から焼付き視認限界幅に相当する階調数を減算した階調を割当てることにより作成されていることを特徴とする表示装置。
【請求項３】
表示輝度および表示時間に応じて発光輝度劣化を起こすようなディスプレイを有しており、入力映像に固定パターンを合成して表示する機能を備えた表示装置において、
複数種類の固定パターンの画像データを保持している第１の記憶手段、
背景部分を含む各固定パターン画像に基づいて作成された補正用画像データを記憶している第２の記憶手段、
１画素分の入力映像信号が入力される毎に、当該入力映像信号の表示位置に対応する補正用画像データを第２の記憶手段から読み出し、読み出した補正用画像データに基づいてゲインを算出するゲイン算出手段、
上記入力映像信号の表示位置に固定パターンを表示させるときには、表示する固定パターンの当該表示位置に対応する画像データを第１の記憶手段から読み出し、読み出した画像データにゲイン算出手段によって算出されたゲインを乗算し、その乗算結果をディスプレイの表示データとして出力する手段、ならびに
入力映像信号の位置に固定パターンを表示しないときには、当該入力映像信号にゲイン算出手段によって算出されたゲインを乗算し、その乗算結果をディスプレイの表示データとして出力する手段を備えており、
補正用画像データは、各固定パターンの出現頻度を考慮して全固定パターン画像の合成画像を生成し、得られた合成画像のうち輝度が最大である第１領域の階調が階調最大値となり、合成画像のうちの輝度が最低となる第２領域の階調が階調最大値から焼付き視認限界幅に相当する階調数を減算した階調となるように、合成画像の階調を正規化したものであることを特徴とする表示装置。
【請求項４】
表示輝度および表示時間に応じて発光輝度劣化を起こすようなディスプレイを有しており、入力映像に固定パターンを合成して表示する機能を備えた表示装置において、
複数種類の固定パターンの画像データを保持している第１の記憶手段、
各画素位置毎のゲインを記憶している第２の記憶手段、
１画素分の入力映像信号が入力される毎に、当該入力映像信号の表示位置に対応するゲインを第２の記憶手段から読み出すゲイン読出手段、
上記入力映像信号の表示位置に固定パターンを表示させるときには、表示する固定パターンの当該表示位置に対応する画像データを第１の記憶手段から読み出し、読み出した画像データにゲイン読出手段によって読み出されたゲインを乗算し、その乗算結果をディスプレイの表示データとして出力する手段、ならびに
入力映像信号の位置に固定パターンを表示しないときには、当該入力映像信号にゲイン読出手段によって読み出されたゲインを乗算し、その乗算結果をディスプレイの表示データとして出力する手段を備えており、
各画素位置毎のゲインは、背景部分を含む各固定パターン画像に基づいて作成された補正用画像データから生成されており、補正用画像データは、各固定パターンの出現頻度を考慮して全固定パターン画像の合成画像を生成し、得られた合成画像のうち輝度が最大である第１領域の階調が階調最大値となり、合成画像のうちの輝度が最低となる第２領域の階調が階調最大値から焼付き視認限界幅に相当する階調数を減算した階調となるように、合成画像の階調を正規化したものであることを特徴とする表示装置。
【発明の詳細な説明】
【技術分野】
【０００１】
この発明は、有機ＥＬパネル、無機ＥＬパネル、ＰＤＰ等のように、表示輝度および表示時間に応じて発光輝度劣化を起こすようなディスプレイを有しており、入力映像に固定パターンを合成して表示する機能を備えた表示装置に関する。
【背景技術】
【０００２】
有機ＥＬ素子では、駆動電流量および表示時間に応じて、発光輝度が低下する。このため、有機ＥＬパネルを表示パネルとして用いたデジタルカメラや携帯型電話機等において、アイコンのような同一映像を表示させ続けた場合、焼き付き現象が発生するという問題がある。
【０００３】
図１は、背景等の低輝度の画像を表示し続けた場合の有機ＥＬ素子の劣化特性ＲＬと、文字等の高輝度の画像を表示し続けた場合の有機ＥＬ素子の劣化特性ＲＨとを示している。
【０００４】
図２（ａ）に示すように、任意の背景Ｈ中に文字等の固定パターン（アイコン）Ａが表示される場合を想定する。この例では、階調が８ビットで表される場合（階調が高いほど輝度が高い）、アイコンＡの輝度は１９２階調である。背景Ｈの輝度は様々な階調となるが、この例では６４階調である。
【０００５】
背景部分Ｈには、様々な映像が表示されると仮定すれば、平均輝度の大小はあるにしても、概ねベタ映像になると考えられる。このような固定パターンが長期にわたって表示され続けた後に、全白映像を表示した場合、アイコンＡが表示されていた画素の輝度劣化が背景Ｈが表示されていた画素の輝度劣化に比べて大きいため、図２（ｂ）に示すように、アイコンＡが表示されていた画素ＡＧの輝度が例えば６４階調のときと同程度の輝度となるのに対して、背景Ｈが表示されていた画素ＨＧの輝度が１９２階調のときと同程度の輝度になり、文字部分が焼き付き映像として視認されてしまう。
【０００６】
なお、図１に示すように、近接する２つの画素の劣化率の差が、焼付き現象が視認されるようになる限界幅（焼付き視認限界幅）ΔＱLIM に達するまでの期間を、焼付き寿命と呼んでいる。
【発明の開示】
【発明が解決しようとする課題】
【０００７】
この発明は、ディスプレイの焼付き寿命を延ばすことができる表示装置を提供することを目的とする。
【課題を解決するための手段】
【０００８】
請求項１に記載の発明は、表示輝度および表示時間に応じて発光輝度劣化を起こすようなディスプレイを有しており、入力映像に固定パターンを合成して表示する機能を備えた表示装置において、固定パターンの画像データを保持している第１の記憶手段、背景部分を含む固定パターン画像に基づいて作成された補正用画像データを記憶している第２の記憶手段、１画素分の入力映像信号が入力される毎に、当該入力映像信号の表示位置に対応する補正用画像データを第２の記憶手段から読み出し、読み出した補正用画像データに基づいてゲインを算出するゲイン算出手段、上記入力映像信号の表示位置に固定パターンを表示させるときには、表示する固定パターンの当該表示位置に対応する画像データを第１の記憶手段から読み出し、読み出した画像データにゲイン算出手段によって算出されたゲインを乗算し、その乗算結果をディスプレイの表示データとして出力する手段、ならびに入力映像信号の位置に固定パターンを表示しないときには、当該入力映像信号にゲイン算出手段によって算出されたゲインを乗算し、その乗算結果をディスプレイの表示データとして出力する手段を備えており、補正用画像データは、固定パターン画像内の固定パターン領域および背景領域のうち、輝度が高い方の領域に階調最大値を割当て、輝度の低い方の領域に階調最大値から焼付き視認限界幅に相当する階調数を減算した階調を割当てることにより作成されていることを特徴とする。
【０００９】
請求項２に記載の発明は、表示輝度および表示時間に応じて発光輝度劣化を起こすようなディスプレイを有しており、入力映像に固定パターンを合成して表示する機能を備えた表示装置において、固定パターンの画像データを保持している第１の記憶手段、各画素位置毎のゲインを記憶している第２の記憶手段、１画素分の入力映像信号が入力される毎に、当該入力映像信号の表示位置に対応するゲインを第２の記憶手段から読み出すゲイン読出手段、上記入力映像信号の表示位置に固定パターンを表示させるときには、表示する固定パターンの当該表示位置に対応する画像データを第１の記憶手段から読み出し、読み出した画像データにゲイン読出手段によって読み出されたゲインを乗算し、その乗算結果をディスプレイの表示データとして出力する手段、ならびに入力映像信号の位置に固定パターンを表示しないときには、当該入力映像信号にゲイン読出手段によって読み出されたゲインを乗算し、その乗算結果をディスプレイの表示データとして出力する手段を備えており、各画素位置毎のゲインは、背景部分を含む固定パターン画像に基づいて作成された補正用画像データから生成されており、補正用画像データは、固定パターン画像内の固定パターン領域および背景領域のうち、輝度が高い方の領域に階調最大値を割当て、輝度の低い方の領域に階調最大値から焼付き視認限界幅に相当する階調数を減算した階調を割当てることにより作成されていることを特徴とする。
【００１０】
請求項３に記載の発明は、表示輝度および表示時間に応じて発光輝度劣化を起こすようなディスプレイを有しており、入力映像に固定パターンを合成して表示する機能を備えた表示装置において、複数種類の固定パターンの画像データを保持している第１の記憶手段、背景部分を含む各固定パターン画像に基づいて作成された補正用画像データを記憶している第２の記憶手段、１画素分の入力映像信号が入力される毎に、当該入力映像信号の表示位置に対応する補正用画像データを第２の記憶手段から読み出し、読み出した補正用画像データに基づいてゲインを算出するゲイン算出手段、上記入力映像信号の表示位置に固定パターンを表示させるときには、表示する固定パターンの当該表示位置に対応する画像データを第１の記憶手段から読み出し、読み出した画像データにゲイン算出手段によって算出されたゲインを乗算し、その乗算結果をディスプレイの表示データとして出力する手段、ならびに入力映像信号の位置に固定パターンを表示しないときには、当該入力映像信号にゲイン算出手段によって算出されたゲインを乗算し、その乗算結果をディスプレイの表示データとして出力する手段を備えており、補正用画像データは、各固定パターンの出現頻度を考慮して全固定パターン画像の合成画像を生成し、得られた合成画像のうち輝度が最大である第１領域の階調が階調最大値となり、合成画像のうちの輝度が最低となる第２領域の階調が階調最大値から焼付き視認限界幅に相当する階調数を減算した階調となるように、合成画像の階調を正規化したものであることを特徴とする。
【００１１】
請求項４に記載の発明は、表示輝度および表示時間に応じて発光輝度劣化を起こすようなディスプレイを有しており、入力映像に固定パターンを合成して表示する機能を備えた表示装置において、複数種類の固定パターンの画像データを保持している第１の記憶手段、各画素位置毎のゲインを記憶している第２の記憶手段、１画素分の入力映像信号が入力される毎に、当該入力映像信号の表示位置に対応するゲインを第２の記憶手段から読み出すゲイン読出手段、上記入力映像信号の表示位置に固定パターンを表示させるときには、表示する固定パターンの当該表示位置に対応する画像データを第１の記憶手段から読み出し、読み出した画像データにゲイン読出手段によって読み出されたゲインを乗算し、その乗算結果をディスプレイの表示データとして出力する手段、ならびに入力映像信号の位置に固定パターンを表示しないときには、当該入力映像信号にゲイン読出手段によって読み出されたゲインを乗算し、その乗算結果をディスプレイの表示データとして出力する手段を備えており、各画素位置毎のゲインは、背景部分を含む各固定パターン画像に基づいて作成された補正用画像データから生成されており、補正用画像データは、各固定パターンの出現頻度を考慮して全固定パターン画像の合成画像を生成し、得られた合成画像のうち輝度が最大である第１領域の階調が階調最大値となり、合成画像のうちの輝度が最低となる第２領域の階調が階調最大値から焼付き視認限界幅に相当する階調数を減算した階調となるように、合成画像の階調を正規化したものであることを特徴とする。
【発明の効果】
【００１２】
この発明によれば、ディスプレイの焼付き寿命を延ばすことができるようになる。
【発明を実施するための最良の形態】
【００１３】
以下、図３〜図９を参照して、この発明を、有機ＥＬパネルを有しており、入力映像に固定パターンを合成して表示する機能を備えた表示装置に適用した場合の実施例について説明する。
【実施例１】
【００１４】
〔１〕本発明の基本的な考え方についての説明
有機ＥＬパネルに表示されうる固定パターン（アイコン）が図２（ａ）に示すようなアイコンのみである場合を想定する。また、ここでは、焼付き視認限界が１０階調に相当する輝度であると仮定する。図２（ａ）において、背景の階調は、平均的な背景の階調であり、表示装置に応じて予め定められている。
【００１５】
まず、図３に示すような、補正データを作成する。つまり、図２（ａ）において最も輝度が大きいアイコンＡが表示されるの領域ＳA に階調最大値２５５を割当て、最も輝度が小さい背景Ｈが表示される領域ＡH に階調最大値２５５から焼付き視認限界に相当する階調数１０を減算した階調２４５を割り当てた補正用データを作成する。
【００１６】
そして、各画素位置ｑに対するゲインＧ（ｑ）を、次式（１）により設定する。そして、映像データ（アイコンの画像データおよび背景の画像データ）を、その画素位置ｑに応じたゲインＧ（ｑ）によって補正する。
【００１７】
Ｇ（ｑ）＝画素位置ｑに対応する補正用データ／階調最大値      …（１）
【００１８】
１画面領域のうち、アイコンＡが表示されるべき領域ＳA の映像データに対するゲインＧA は、１（＝領域ＳA に対する補正用データ／階調最大値＝２５５／２５５）となる。また、１画面領域のうち、背景Ｈが表示されるべき領域ＳH の映像データに対するゲインＧH は、２４５／２５５（＝領域ＳH に対する補正用データ／階調最大値）となる。
【００１９】
図２（ａ）に示すようなアイコンが表示されるときには、図４（ａ）に示すように、アイコンＡ（領域ＳA ）の画像データを、１９２×ＧA ＝１９２に補正するとともに、背景Ｈ（領域ＳH ）の画像データ（入力映像データ）を、６４×ＧH ＝６２に補正する。
【００２０】
また、ベタ映像、例えば、全白のベタ映像が表示される場合には、図４（ｂ）に示すように、領域ＳA の画像データを、２５５×ＧA ＝２５５に補正するとともに、領域ＳH の画像データ（入力映像データ）を、２５５×ＧH ＝２４５に補正する。全白のベタ映像が表示される場合には、補正後のデータは、補正用データと同じデータとなる。
【００２１】
図５は、図３のような補正データによってゲイン調整を行った状態で、図２（ａ）に示すようなアイコン画像を表示し続けている場合において、各時刻でアイコン画像を全白のベタ映像に切り換えたと仮定した場合の、全白ベタ映像表示時の領域ＳA の輝度（曲線ＳA ）と領域ＳH の輝度（曲線ＳH ）とを示している。
【００２２】
有機ＥＬパネルの使用初期（ｔ０）において、全白のベタ映像を表示させた際には、図４（ｂ）に示すように、領域ＳA の補正後の画像データは２５５となり、領域ＳH の補正後の画像データは２４５となる。つまり、領域ＳA の輝度が領域ＳH の輝度より大きくなる。
【００２３】
その後、図２（ａ）に示すようなアイコン画像を表示し続ける。アイコン画像を表示しているときには、図４（ａ）に示すように、アイコンＡの補正後の画像データは１９２となり、背景Ｈの補正後の画像データは６２となる。この場合、領域ＳA の有機ＥＬ素子の輝度劣化率が領域ＳH の輝度劣化率に対して大きくなる。
【００２４】
したがって、時点ｔ０から所要期間、アイコン画像を表示した後において、全白のベタ映像を表示させたと仮定すると、領域ＳA の輝度低下率が領域ＳH の輝度低下率より大きくなり、両領域ＳA ，ＳH の輝度差が小さくなる。
【００２５】
そして、時点ｔ０から時点ｔ１までアイコン画像を表示された後に、時点ｔ１において、全白のベタ映像を表示させたと仮定すると、両領域ＳA ，ＳH の輝度差は０となる。さらに時点ｔ１から所要期間、アイコン画像を表示した後において、全白のベタ映像を表示させたと仮定すると、領域ＳA の輝度が、領域ＳH より低くなる。そして、時間が経過するにつれて、全白のベタ映像を表示させた際の両領域ＳA ，ＳH の輝度差が大きくなり、時点ｔ２において、全白のベタ映像を表示させたときに、両領域ＳA ，ＳH の輝度差が焼付き視認限界幅に達するようになる。
【００２６】
従来においては、有機ＥＬパネルの使用初期（ｔ０）において、全白のベタ映像を表示させた際には、領域領域ＳA と領域ＳH との輝度は同じであるが、本発明では領域ＳA の輝度が領域ＳH の輝度より大きくなるようにしている。したがって、本発明では、アイコン画像を表示させている途中において、全白のベタ映像を表示させた際の両領域ＳA ，ＳH の輝度差が焼付き視認限界幅に達するまでの時間が、従来より長くなる。つまり、焼付き寿命が長くなる。
【００２７】
〔２〕上記〔１〕では、アイコン（固定パータン）が１種類のみ存在する場合について、説明したが、通常は、表示可能なアイコンは複数種類存在している。そこで、表示可能なアイコンが複数存在している場合の表示データの補正方法について説明する。
【００２８】
ここでは、表示可能なアイコンとして、図６（ａ）に示すようなアイコンと、図６（ｂ）に示すようなアイコンとの２種類が存在する場合について説明する。入力映像信号が８ビットで表されているものとする。
【００２９】
図６（ａ）に示す第１アイコンＡ１は円形画像あり、その画像データは２５５である。また、第１背景Ｈ１の映像信号値は１２８である。図６（ｂ）に示す第２アイコンＡ２は矩形画像あり、その画像データは６４である。第２背景Ｈ２の映像信号値は、１２８である。なお、第１背景Ｈ１および第２背景Ｈ２の映像信号値は、平均的な背景の映像信号値として予め設定されている。
【００３０】
このように複数のアイコンが用意されている場合には、それらのアイコンが表示される割合（表示頻度）を考慮して、それらのアイコン画像の合成画像を生成する。
【００３１】
まず、第１アイコンの表示頻度（単位時間当たりの表示フレーム数）と第２アイコンの表示頻度との比が１：１である場合について説明する。第１アイコンの表示頻度（単位時間当たりの表示フレーム数）と第２アイコンの表示頻度との比が１：１である場合には、合成画像は、図７（ａ）に示すようになる。
【００３２】
第１アイコン画像と第２アイコン画像との合成画像は、第１アイコンＡ１内で第２アイコンＡ２と重なっていない領域ＳA11 と、第１アイコンＡ１と第２アイコンＡ２とが重なっている領域ＳA12 と、第２アイコンＡ２内で第１アイコンＡ１と重なっていないアイコン領域ＳA22 と、背景からなる領域ＳH12 とから構成されている。
【００３３】
第１アイコンと第２アイコンとが表示される割合が１：１である場合には、領域ＳA11 の画像データ値は、第１アイコンＡ１の画像データ値（２５５）に１／２を乗算した値（２５５／２）と、第２背景Ｈ２の画像データ値（１２８）に１／２を乗算した値（１２８／２）との和（１９２）となる。領域ＳA22 の画像データ値は、第２アイコンＡ２の画像データ値（６４）に１／２を乗算した値（６４／２）と、第１背景Ｈ１の画像データ値（１２８）に１／２を乗算した値（１２８／２）との和（９６）となる。
【００３４】
領域ＳA12 の画像データ値は、第１アイコンＡ１の画像データ値（２５５）に１／２を乗算した値（２５５／２）と、第２アイコンＡ２の画像データ値（６４）に１／２を乗算した値（６４／２）との平均値（１６０）となる。領域ＳH12 の画像データ値は、第１背景Ｈ１の画像データ値（１２８）に１／２を乗算した値（１２８／２）と、第２背景Ｈ２の画像データ値（１２８）に１／２を乗算した値（１２８／２）との和（１２８）となる。
【００３５】
この合成画像から図７（ｂ）に示すような補正用データを生成する。図７（ａ）において輝度が最も大きい領域ＳA11 の階調が階調最大値２５５となり、輝度が最も小さい領域ＳA22 の階調が２４５（＝２５５−焼付き視認限界に相当する階調）になるように、合成画像の階調を正規化する。ここでは、ガンマ特性がリニア（γ＝１．０）であると仮定して、合成画像の階調を正規化する場合について説明する。
【００３６】
領域ＳA11 の階調が階調最大値２５５となり、領域ＳA22 の階調が２４５なるように、合成画像を正規化すると、領域ＳA12 の階調は、２４５＋｛（２５５−２４５）×（１６０−９６）／（１９２−９６）｝＝２５２となる。また、領域ＳH12 の階調は、２４５＋｛（２５５−２４５）×（１２７−９６）／（１９２−９６）｝＝２４８となる。
【００３７】
したがって、領域ＳA11 の映像データに対するゲインＧA11 は、１（＝領域ＳA11 に対する補正用データ／２５５）となる。領域ＳA22 の映像データに対するゲインＧA22 は、２４５／２５５（＝領域ＳA22 に対する補正用データ／２５５）となる。領域ＳA12 の映像データに対するゲインＧA12 は、２５２／２５５（＝領域ＳA12 に対する補正用データ／２５５）となる。領域ＳH12 の映像データに対するゲインＧH12 は、２４８／２５５（＝領域ＳH12 に対する補正用データ／２５５）となる。
【００３８】
次に、第１アイコンの表示頻度（単位時間当たりの表示フレーム数）と第２アイコンの表示頻度との比が１：３である場合について説明する。第１アイコンの表示頻度（単位時間当たりの表示フレーム数）と第２アイコンの表示頻度との比が１：３である場合には、合成画像は、図８（ａ）に示すようになる。
【００３９】
領域ＳA11 の画像データ値は、第１アイコンＡ１の画像データ値（２５５）に１／４を乗算した値（２５５／４）と、第２背景Ｈ２の画像データ値（１２８）に３／４を乗算した値（１２８×３／４）との和（１６０）となる。領域ＳA22 の画像データ値は、第１背景Ｈ１の画像データ値（１２８）に１／４を乗算した値（１２８／４）と、第２アイコンＡ２の画像データ値（６４）に３／４を乗算した値（６４×３／４）との和（８０）となる。
【００４０】
領域ＳA12 の画像データ値は、第１アイコンＡ１の画像データ値（２５５）に１／４を乗算した値（２５５／４）と、第２アイコンＡ２の画像データ値（６４）に３／４を乗算した値（６４×３／４）との平均値（１１２）となる。領域ＳH12 の画像データ値は、第１背景Ｈ１の画像データ値（１２８）に１／４を乗算した値（１２８／４）と、第２背景Ｈ２の画像データ値（１２８）に３／４を乗算した値（１２８×３／４）との和（１２８）となる。
【００４１】
この合成画像から図８（ｂ）に示すような補正用データを生成する。図８（ａ）において輝度が最も大きい領域ＳA11 の階調が階調最大値２５５となり、輝度が最も小さい領域ＳA22 の階調が２４５（＝２５５−焼付き視認限界に相当する階調）になるように、合成画像の階調を正規化する。ここでは、ガンマ特性がリニア（γ＝１．０）であると仮定して、合成画像の階調を正規化する場合について説明する。
【００４２】
領域ＳA11 の階調が階調最大値２５５となり、領域ＳA22 の階調が２４５なるように、合成画像を正規化すると、領域ＳA12 の階調は、２４５＋｛（２５５−２４５）×（１１２−８０）／（１６０−８０）｝＝２４９となる。また、領域ＳH12 の階調は、２４５＋｛（２５５−２４５）×（１２８−８０）／（１６０−８０）｝＝２５１となる。
【００４３】
したがって、領域ＳA11 の映像データに対するゲインＧA11 は、１（＝領域ＳA11 に対する補正用データ／２５５）となる。領域ＳA22 の映像データに対するゲインＧA22 は、２４５／２５５（＝領域ＳA22 に対する補正用データ／２５５）となる。領域ＳA12 の映像データに対するゲインＧA12 は、２４９／２５５（＝領域ＳA12 に対する補正用データ／２５５）となる。領域ＳH12 の映像データに対するゲインＧH12 は、２５１／２５５（＝領域ＳH12 に対する補正用データ／２５５）となる。
【００４４】
図９は、有機ＥＬパネルを備えた表示装置内に設けられた映像データ補正回路の構成を示している。なお、このような補正回路は、Ｒ，Ｇ，Ｂの映像信号毎に設けられているが、ここでは、１つの補正回路のみが示されている。
【００４５】
第１の不揮発性メモリ（ＥＥＰＲＯＭ１）４には、各アイコン（固定パターン）毎に、アイコン表示用データが格納されている。１つのアイコンに対するアイコン表示用データは、そのアイコンを表示すべき表示画素位置（アイコン表示位置）を示すデータと各アイコン表示位置に表示すべきアイコン画像データとから構成されている。
【００４６】
第２の不揮発性メモリ（ＥＥＰＲＯＭ２）６には、例えば、図７（ｂ）に示すような補正用データ（２次元データ）が格納されている。
【００４７】
デジタルの入力映像信号Ｙinは、アイコン表示制御部１、乗算器２およびＤＡ変換器（ＤＡＣ）３を介して表示パネルに送られる。
【００４８】
入力映像信号Ｙinに含まれている同期信号は、位置情報算出部５に送られる。位置情報算出部５は、同期信号に基づいて、現在入力されている映像信号の位置情報（ｘｑ，ｙｑ）を算出する。
【００４９】
位置情報算出部５によって算出された入力映像信号の位置情報（ｘｑ，ｙｑ）は、アイコン表示制御部１に与えられるとともに、第２の不揮発性メモリ（ＥＥＰＲＯＭ２）６に与えられる。アイコン表示制御部１には、図示しない主制御装置（マイコン）から、現フレームにおいて表示すべきアイコンの種類を指定するアイコン表示制御信号も与えられる。
【００５０】
アイコン表示制御部１は、アイコン表示制御信号によって、現フレームにおいて表示すべきアイコンの種類が指定されると、第１の不揮発性メモリ（ＥＥＰＲＯＭ１）４内のデータに基づいて指定されたアイコンを表示すべきアイコン表示位置を認識し、位置情報算出部５によって算出された入力映像信号の位置情報（ｘｑ，ｙｑ）が、アイコン表示位置と一致したときには、当該アイコン表示位置に表示すべきアイコン画像データを第１の不揮発性メモリ（ＥＥＰＲＯＭ１）４から読み出して乗算器２に出力する。アイコン表示制御部１は、位置情報算出部５によって算出された入力映像信号の位置情報（ｘｑ，ｙｑ）が、アイコン表示位置と一致しなかったときには、入力映像信号をそのまま乗算器２に出力する。
【００５１】
第２の不揮発性メモリ（ＥＥＰＲＯＭ２）６は、位置情報算出部５によって算出された入力映像信号の位置情報（ｘｑ，ｙｑ）に対応する補正用データをゲイン算出部７に与える。ゲイン算出部７は、第２の不揮発性メモリ（ＥＥＰＲＯＭ２）６から与えられた補正用データから、ゲインＧ（ｑ）｛＝（補正用データ）／２５５｝を算出し、算出したゲインＧ（ｑ）を乗算器２に与える。
【００５２】
乗算器２は、アイコン表示制御部１から送られてきた映像データ（入力映像データまたはアイコン画像データ）に、ゲイン算出部７から与えられたゲインＧ（ｑ）を乗算する。乗算器２から出力された映像データは、ＤＡ変換器（ＤＡＣ）３によってアナログの映像信号に変換された後、表示パネルに送られる。
【００５３】
なお、第２の不揮発性メモリ（ＥＥＰＲＯＭ２）６に補正用データを格納しているが、第２の不揮発性メモリ（ＥＥＰＲＯＭ２）６に補正用データから算出された各画素位置毎のゲインＧ（ｑ）を格納するようにしてもよい。この場合には、第２の不揮発性メモリ（ＥＥＰＲＯＭ２）６からゲインが直接読み出されるので、ゲイン算出部７は不要となる。
【図面の簡単な説明】
【００５４】
【図１】背景等の低輝度の画像を表示し続けた場合の有機ＥＬ素子の劣化特性ＲＬと、文字等の高輝度の画像を表示し続けた場合の有機ＥＬ素子の劣化特性ＲＨとを示すグラフである。
【図２】文字部分が焼き付き映像として視認されることを示す模式図である。
【図３】図２（ａ）の画像に対する補正用データを示す模式図である。
【図４】図２（ａ）に示すようなアイコンが表示される場合の補正後の映像データと、全白のベタ映像が表示される場合の補正後の映像データを示す模式図である。
【図５】図２（ａ）に示すようなアイコン画像を表示し続けている場合において、各時刻でアイコン画像を全白のベタ映像に切り換えたと仮定した場合の、全白ベタ映像表示時の領域ＳA の輝度（曲線ＳA ）と領域ＳH の輝度（曲線ＳH ）とを示すグラフである。
【図６】第１アイコン画像と第２アイコン画像とを示す模式図である。
【図７】第１アイコンの表示頻度と第２アイコンの表示頻度との比が１：１である場合のアイコン合成画像と、それに対する補正用データとを示す模式図である。
【図８】第１アイコンの表示頻度と第２アイコンの表示頻度との比が１：３である場合のアイコン合成画像と、それに対する補正用データとを示す模式図である。
【図９】有機ＥＬパネルを備えた表示装置内に設けられた映像データ補正回路の構成を示すブロック図である。
【符号の説明】
【００５５】
１  アイコン表示制御部
２  乗算器２
３  ＤＡ変換器（ＤＡＣ）
４  第１の不揮発性メモリ（ＥＥＰＲＯＭ１）
５  位置情報算出部
６  第２の不揮発性メモリ（ＥＥＰＲＯＭ２）
７  ゲイン算出部
【図１】
2005283910.tif 000003
【図２】
2005283910.tif 000004
【図３】
2005283910.tif 000005
【図４】
2005283910.tif 000006
【図５】
2005283910.tif 000007
【図６】
2005283910.tif 000008
【図７】
2005283910.tif 000009
【図８】
2005283910.tif 000010
【図９】
2005283910.tif 000011